(57)【要約】  太陽エネルギーモジュールフレームと共に交換可能な取付け基部を組み込んでいる屋上太陽エネルギーモジュール取付けシステム。【選択図】  図１
2015532694.tif 000002
【特許請求の範囲】
【請求項１】
第１の太陽電池パネルアセンブリであって、前記第１の太陽電池パネルアセンブリは第１の端部および第２の端部を有する、第１の太陽電池パネルアセンブリと、
取付け面に取り付くように構成されている第１の取付け基部であって、前記第１の取付け基部は、前記第１の太陽電池パネルアセンブリの前記第１の端部、および前記第１の太陽電池パネルアセンブリの前に配置されている第２の太陽電池パネルアセンブリの第２の端部を固定するように構成されている、第１の取付け基部と、
前記取付け面に取り付くように構成されている第２の取付け基部であって、前記第２の取付け基部は、前記第１の太陽電池パネルアセンブリの前記第２の端部、および前記第１の太陽電池パネルアセンブリの後ろに配置されている第３の太陽電池パネルアセンブリの第１の端部を固定するように構成されている、第２の取付け基部と、
を備え、
ここにおいて、前記第１の取付け基部と前記第２の取付け基部とは交換可能であるように構成されている、
太陽電池パネルシステム。
【請求項２】
前記第２の端部は、前記太陽電池パネルが前記取付け面に対して角度を成して配置されるように、前記取付け面に対して前記第１の端部より高く配置されている、請求項１に記載の太陽電池パネルシステム。
【請求項３】
前記第２の端部は複数の連接脚部により前記取付け基部に固定されている、請求項２に記載の太陽電池パネルシステム。
【請求項４】
前記第１の取付け基部および前記第２の取付け基部は各々、横断面がＵ字形でありかつ内側部分及び外側部分を有する細長い連結タブをさらに備え、ここにおいて、前記第１の太陽電池パネルアセンブリおよび／または前記第２の太陽電池パネルアセンブリは前記各連結タブに連結される、請求項１に記載の太陽電池パネルシステム。
【請求項５】
前記連結タブは機械的締結具を受容して、前記第１の太陽電池パネルアセンブリおよび前記第２の太陽電池パネルアセンブリを取り付けるスロットを有する、請求項４に記載の太陽電池パネルシステム。
【請求項６】
前記スロットは機械的締結具の周囲で移動の自由を可能にするように構成されている、請求項５に記載の太陽電池パネルアセンブリ。
【請求項７】
前記第１の取付け基部は、重しの付いた物体を受け入れて、前記第１の取付け基部を前記取付け面に固定するように構成されているバラストタイプの取付け基部であり、前記第２の取付け基部は、前記第２の取付け基部を前記取付け面に接着させるために、その下面に貼り付く粘着性材料を有する接着タイプの取付け基部である、請求項１に記載の太陽電池パネルシステム。
【請求項８】
前記第１の取付け基部は、重しの付いた物体を受け入れて、前記第１の取付け基部を前記取付け面に固定するように構成されているバラストタイプの取付け基部であり、前記第２の取付け基部は、前記第２の取付け基部を前記取付け面の固定構造物に取り付けるのに使用するための開口部を有する剛性タイプの取付け基部である、請求項１に記載の太陽電池パネルシステム。
【請求項９】
前記第１の取付け基部は、前記第２の取付け基部を前記取付け面の固定構造物に取り付けるのに使用するための開口部を有する剛性タイプの取付け基部であり、前記第２の取付け基部は、前記第２の取付け基部を前記取付け面に接着させるために、その下面に貼り付く粘着性材料を有する接着タイプの取付け基部である、請求項１に記載の太陽電池パネルアセンブリ。
【請求項１０】
多数の太陽電池パネルアセンブリが配列状に前記太陽電池パネルシステムに取り付けられ得るように構成されている、請求項１に記載の太陽電池パネルシステム。
【請求項１１】
太陽電池パネルシステムを設置する方法であって、
第１の端部と第２の端部とを有する第１の太陽電池パネルアセンブリを、取付け面に取り付くように構成されている第１の取付け基部に取り付けるステップであって、前記第１の取付け基部は前記第１の太陽電池パネルアセンブリの前記第１の端部を固定するように構成されている、第１の太陽電池パネルアセンブリを、第１の取付け基部に取り付けるステップと、
前記第１の太陽電池パネルアセンブリの前に配置されている第２の太陽電池パネルアセンブリの第２の端部を、前記取付け面に取り付くように構成されている第２の取付け基部に取り付けるステップであって、前記第２の取付け基部は、前記第１の太陽電池パネルアセンブリの前記第２の端部および前記第１の太陽電池パネルアセンブリの後ろに配置されている第３の太陽電池パネルアセンブリの第１の端部を固定するように構成されている、第２の太陽電池パネルアセンブリの第２の端部を、第２の取付け基部に取り付けるステップと、
を備え、
ここにおいて、前記第１の取付け基部と前記第２の取付け基部とは交換可能であるように構成されている、
太陽電池パネルシステムを設置する方法。
【請求項１２】
前記第２の端部は、前記太陽電池パネルが前記取付け面に対して角度を成して配置されるように、前記取付け面に対して前記第１の端部より高く配置されている、請求項１１に記載の太陽電池パネルシステムを設置する方法。
【請求項１３】
前記第２の端部は複数の連接脚部により前記取付け基部に固定されている、請求項１２に記載の太陽電池パネルシステムを設置する方法。
【請求項１４】
前記第１の取付け基部および前記第２の取付け基部は各々、横断面がＵ字形でありかつ内側部分を有する細長い連結タブをさらに備え、ここにおいて、前記第１の太陽電池パネルアセンブリおよび前記第２の太陽電池パネルアセンブリは前記各連結タブの前記内側に取り付く、請求項１１に記載の太陽電池パネルシステムを設置する方法。
【請求項１５】
前記連結タブは、機械的締結具を受容するスロットを有し、複数の調節可能な脚部および複数のフレーム部材を取り付ける、請求項１４に記載の太陽電池パネルシステムを設置する方法。
【請求項１６】
前記スロットは、前記機械的締結具の周囲で移動の自由を可能にするように構成されている、請求項１５に記載の太陽電池パネルシステム。
【請求項１７】
前記第１の取付け基部は、重しの付いた物体を受け入れて、前記第１の取付け基部を前記取付け面に固定するように構成されているバラストタイプの取付け基部であり、前記第２の取付け基部は、前記第２の取付け基部を前記取付け面に接着させるために、その下面に貼り付く粘着性材料を有する接着タイプの取付け基部である、請求項１１に記載の太陽電池パネルアセンブリを設置する方法。
【請求項１８】
前記第１の取付け基部は、重しの付いた物体を受け入れて、前記第１の取付け基部を前記取付け面に固定するように構成されているバラストタイプの取付け基部であり、前記第２の取付け基部は、前記第２の取付け基部を前記取付け面の固定構造物に取り付けるのに使用するための開口部を有する剛性タイプの取付け基部である、請求項１１に記載の太陽電池パネルシステムを設置する方法。
【請求項１９】
前記第１の取付け基部は、前記第２の取付け基部を前記取付け面の固定構造物に取り付けるのに使用するための開口部を有する剛性タイプの取付け基部であり、前記第２の取付け基部は、前記第２の取付け基部を前記取付け面に接着させるために、その下面に貼り付く粘着性材料を有する接着タイプの取付け基部である、請求項１１に記載の太陽電池パネルシステムを設置する方法。
【請求項２０】
配列状の太陽電池パネルアセンブリが前記太陽電池パネルシステムに取り付けられ得るように構成されている、請求項１１に記載の太陽電池パネルシステム。
【発明の詳細な説明】
【技術分野】
【０００１】
本願は、２０１２年９月４日、２０１２年９月１１日それぞれに出願された米国仮特許出願第６１／６３２，４１２号および同第６１／６９９，５４６号の利益を主張するものであり、その開示は参照により本明細書に援用されている。
【背景技術】
【０００２】
本発明の多数の実施形態が、建造物屋上の太陽エネルギーパネルのための取付け構造物に関する。そのような太陽電池パネルは、いくつかある太陽光取込みデバイスの中でも、光起電性パネル、太陽熱パネルを含んでいてもよい。
【０００３】
建造物所有者および賃借人が、彼らの電気コストを低減するために、屋上太陽エネルギーシステムを益々設置しており、送電網へエネルギーを売り戻し、彼らの共同のサステナビリティ（corporate sustainability）の姿勢を向上させている。太陽エネルギーシステムが一般に普及してくるにつれて、設置業者が、太陽エネルギーモジュールまたは配列状の太陽エネルギーモジュールを建造物の屋上に固定するいくつかのシステムを開発してきた。太陽エネルギーモジュールアレイを建造物屋上に固定することには、風、地震、建造物の振動、および他の外力に起因する移動による損傷を防ぐことが必要である。いくつかの設置方法論が、重しを使用して太陽エネルギーアレイを定位置に保持すること、太陽エネルギーアレイを屋上膜に接着させること、および屋根貫通結合物（例えば、ボルト）を使用して太陽エネルギーアレイを固定することを含む。
【発明の概要】
【０００４】
本発明の多数の実施形態が、太陽エネルギーモジュール（またはモジュールフレーム）と、様々なタイプの取付け基部が交換されることが可能であり、モジュールが任意の数の異なる固定方法により屋根に固定されることを可能にするように標準化された連結点を有する、モジュールを屋根に取り付けるための取付け基部とに関する。太陽エネルギーモジュールフレームは、太陽エネルギーモジュールを越えて延在しており、取付け基部のための連結点としての役割を果たすフレームの部分を有していてもよい。全ての場合に、全てのモジュールまたはモジュールフレームが、同一の位置、間隔、配向、および取付け基部への連結タイプ（固定手段）を有する連結点を持つであろう。同様に、屋根での固定化手段（バラスト、接着剤、またはボルトもしくは他の剛性アタッチメント（rigid attachment）に関わらず、全ての取付け基部は、同一の位置、間隔、配向、およびモジュールまたはモジュールフレームへの連結タイプ（固定手段）を有する連結点を有する。全ての連結は解除可能とすることができる。全ての取付け基部タイプの連結点が、このように、全ての太陽エネルギーモジュール連結点タイプに連結することができる。連結点は、太陽エネルギーモジュールと取付け基部との間でのＸ方向、Ｙ方向、およびＺ方向の制限された空間移動を可能にし得る。この制限された移動は、取付け基部と太陽エネルギーモジュールとの様々なアセンブリが、平らでない表面上で隣接する取付け基部および太陽エネルギーモジュールに連結することを可能にするであろう。
【０００５】
多数の実施形態が、重し（例えば、バラスト）を使用して太陽エネルギーモジュールを屋上に固定する取付け基部と、屋上膜に接着する取付け基部と、屋根貫通管、ボルト、空調ダクト、パラペットまたは類似の構造物などの剛性屋上構造物へのしっかりした連結を可能にする取付け基部とを含み得る取付け基部タイプに関する。バラストタイプの取付け基部は、バラスト（例えば、コンクリート煉瓦）を中に置くトレイを含むことができ、単にバラストトレイと屋上との間の重量および摩擦が太陽エネルギーアレイを固定する。接着されるタイプの取付け基部が、屋根葺き膜の材料に類似した材料を含んでおり、取付け基部が適切な接着剤で屋上膜にしっかりと接着されることを可能にしてもよい。剛性アタッチメントタイプの取付け基部が、梁、管、またはクロス構造を含んでおり、取付け基部から屋根の剛性構造物までの連結を可能にしてもよい。
【０００６】
本発明の多数の実施形態が、様々なタイプの取付け基部上に設置される連結トレイを含む。連結トレイはトレイ内壁とトレイ外壁とを有する。トレイ内壁は、溶接、リベット、ねじ、ステープル、機械的曲げ、または他の固定方法を用いて取付け基部に結合している。太陽エネルギーモジュールなどの、連結トレイに取り付けられるデバイスが、連結トレイ内に存在するための突出部を有する。連結トレイは、各連結トレイが中に固定される４つ以上の構成要素を有してもよいように、両端部に複数の取り付けられたデバイスを受け入れることができる。トレイ内壁およびトレイ外壁を貫通する取付けスロットが機械タイプの締結具を受け入れ、取り付けられるデバイスを連結する。取付けスロットは形状が円形またはスロット様であってもよく、いくらかの移動の自由を可能にする。各連結トレイは、取り付けられるデバイスの様々な取付け位置を受け入れるために、両端部に複数の取付けスロットを有していてもよい。連結トレイを貫通する開口部が、犠牲摩擦材料などの、取付け基部の下面に連結される付加的物品の設置を可能にする。
【０００７】
同じ太陽エネルギーモジュールフレームに関して交換可能な取付け基部タイプを有する能力、および配列状の多数の太陽エネルギーモジュールのための取付け基部タイプの組合せを使用する能力は、先行技術を凌ぐ重要な利点である。このシステムの利点が、単一の屋上アレイのために太陽エネルギーモジュールを固定する複数の方法を用いる能力、簡易化された構成および分解、ならびに設置業者にとってより容易な構成要素管理を含むが、それらに限定されない。さらに、単一の太陽エネルギーモジュールフレームが、全ての取付け基部タイプと共に使用されるように、様々な建造物屋上タイプのための特殊な取付け基部の必要を無くすように製造され得る。交換可能な取付け基部は、同じ太陽エネルギーモジュールフレームが設置業者により任意の好適な方法で屋上に固定されることを可能にする。取付け基部は、設置位置に到達する前に（例えば、工場で）、または屋根で設置業者により即時に設置され得ると考えられる。標準的なフレームを備えた配列状の太陽エネルギーモジュールが、単一の取付け基部タイプまたは取付け基部タイプの組合せを使用して、太陽エネルギーアレイをその特定の屋根に最も良く固定し得ると考えられる。また、単一の太陽エネルギーフレーム設計が全ての取付け基部タイプに使用される場合、本発明は製造および販売における利点を提供する。
【０００８】
本発明の多数の実施形態では、全ての取付け基部タイプと連結する連結点と同じ連結タイプ、配向、および位置を実現する方法で、延長ブラケットまたはマウントが太陽エネルギーモジュールフレームに取り付けられてもよく、連結されてもよい。
【０００９】
多数の実施形態が、取付け面に取り付くように構成されている第１の取付け基部に固定されている第１の端部と第２の端部とを有する第１の太陽電池パネルアセンブリを有することを備えている太陽電池パネルシステムに関する。第１の取付け基部は、第１の太陽電池パネルアセンブリの第１の端部、および第１の太陽電池パネルアセンブリの前に配置されている第２の太陽電池パネルアセンブリの第２の端部を固定するように構成されていてもよい。また、取付け面に取り付くように構成されている第２の取付け基部があってもよく、第２の取付け基部は、第１の太陽電池パネルアセンブリの第２の端部、および第１の太陽電池パネルアセンブリの後ろに配置されている第３の太陽電池パネルアセンブリの第１の端部を固定するように構成されており、第１の取付け基部と第２の取付け基部とは交換可能であるように構成されている。
【００１０】
多数の実施形態が、太陽電池パネルシステムを設置する方法に関し、そのステップは、第１の端部と第２の端部とを有する第１の太陽電池パネルアセンブリを、取付け面に取り付くように構成されている第１の取付け基部に取り付けるステップと、第１の取付け基部は第１の太陽電池パネルアセンブリの第１の端部を固定するように構成されている、第１の太陽電池パネルアセンブリの前に配置されている第２の太陽電池パネルアセンブリの第２の端部を、取付け面に取り付くように構成されている第２の取付け基部に取り付けるステップと、第２の取付け基部は、第１の太陽電池パネルアセンブリの第２の端部および第１の太陽電池パネルアセンブリの後ろに配置されている第３の太陽電池パネルアセンブリの第１の端部を固定するように構成されており、第１の取付け基部と第２の取付け基部とは交換可能であるように構成されている、を含む。
【００１１】
多数の実施形態では、太陽電池パネルが取付け面に対して角度を成して配置されるように、第２の端部は、取付け面に対して第１の端部より高く配置されている。種々の実施形態では、第２の端部が複数の連接脚部により取付け基部に固定されている。
【００１２】
多数の実施形態では、第１及び／又は第２の太陽電池パネルアセンブリと連結するために、第１の取付け基部および第２の取付け基部は横断面がＵ字形でありかつ内側部分及び外側部分を有する連結タブを有している。
【００１３】
多数の実施形態では、連結タブは、機械的締結具を受容して、複数の調節可能な脚部および複数のフレーム部材を取り付けるスロットを有し、スロットは、機械的締結具の周囲で移動の自由を可能にするように構成されている。
【００１４】
多数の実施形態では、第１の取付け基部は、重しの付いた物体を受け入れて、第１の取付け基部を取付け面に固定するように構成されているバラストタイプの取付け基部であり、第２の取付け基部は、第２の取付け基部を取付け面に接着させるために、その下面に貼り付く粘着性材料を有する接着タイプの取付け基部である。
【００１５】
多数の実施形態では、第１の取付け基部は、重しの付いた物体を受け入れて、第１の取付け基部を取付け面に固定するように構成されているバラストタイプの取付け基部であり、第２の取付け基部は、第２の取付け基部を取付け面の固定構造物に取り付けるのに使用するための開口部を有する剛性タイプの取付け基部である。
【００１６】
多数の実施形態では、第１の取付け基部は、第２の取付け基部を取付け面の固定構造物に取り付けるのに使用するための開口部を有する剛性タイプの取付け基部であり、第２の取付け基部は、第２の取付け基部を取付け面に接着させるために、その下面に貼り付く粘着性材料を有する接着タイプの取付け基部である。
【００１７】
多数の実施形態では、多数の太陽電池パネルアセンブリが太陽電池パネルシステムに配列して取り付けられ得るように、太陽電池パネルシステムは構成され得る。配列は、多数の縦横、又は１つの縦だけ、又は１つの横だけの状態での太陽電池パネルアセンブリのシステムであり得る。
【図面の簡単な説明】
【００１８】
【図１】本発明の一例を示すことをもくろんで、接着タイプの取付け基部および剛性アタッチメントタイプの取付け基部と共に、取り付けられたバラストタイプの取付け基部を伴う統合太陽エネルギーモジュールおよびフレームの投影図。
【図２】本発明の一例を示す、バラストタイプの取付け基部がどこに設置されるであろうかを例示している、統合太陽エネルギーモジュールおよびフレームの投影図。
【図３Ａ】本発明の一例を示す、バラストタイプの取付け基部の投影図。
【図３Ｂ】本発明の一例を示す、接着されるタイプの取付け基部の投影図。
【図３Ｃ】本発明の一例を示す、剛性アタッチメントタイプの取付け基部の投影図。
【図４】本発明の一例を示す、取付け基部の標準的な連結点を使用して取り付けられている配列状の太陽エネルギーモジュールの側面図。
【図５】本発明の例示的設置を示す、バラストタイプの取付け基部および接着されるタイプの取付け基部を使用して取り付けられている配列状の太陽エネルギーモジュールの上面図。
【図６】代替的連結トレイを示す、本発明の代替的実施形態の図。
【発明を実施するための形態】
【００１９】
図１は、太陽エネルギーモジュール１０１を収容しておりかつ標準連結タブ１０３を使用してバラストタイプの取付け基部１０２に連結されている太陽エネルギーモジュールフレーム１００の投影図である。接着されるタイプの取付け基部２００および剛性アタッチメントタイプの取付け基部３００が示されており、本発明の範囲内である全てのタイプの取付け基部によく見られる標準連結タブ１０３を例示している。バラストタイプの取付け基部１０２、接着されるタイプの取付け基部２００、および剛性アタッチメントタイプの取付け基部３００上の標準連結タブ１０３は全て、同じ位置、間隔、配向、および取付け部に対する連結タイプ（固定手段）を有する連結点を有し、太陽エネルギーモジュールフレーム１００へのこれらの点における連結は解除可能な連結とすることができる。太陽エネルギーモジュールフレーム１００は、枢動可能に取り付けられた脚部１０４により所望の角度で傾けられている。枢動可能に取り付けられた脚部１０４は、２つの取付け基部１０２を太陽エネルギーモジュールの両側に固定するために、第２のバラストタイプの取付け基部１０２に連結されている。
【００２０】
図２は、統合太陽エネルギーモジュールおよび標準フレームアセンブリの前側と後側の両方でのバラストタイプの取付け基部１０２の設置を例示している投影図である。同設置方法論は、接着されるタイプの取付け基部および剛性アタッチメントタイプの取付け基部などの任意の取付け基部タイプに用いられる。図２では、バラストタイプの取付け基部１０２は、ピン１０５、またはボルト、ねじ、クリップ、ロープ、ナイロン帯紐等の類似の締結具を使用して、標準連結タブ１０３において太陽エネルギーモジュールフレーム１００に取り付く。標準連結タブ１０３を備えた第２のバラストタイプの取付け基部１０２が、ピン１０５、またはボルト、ねじ、クリップ、ロープ等の類似の締結具を使用して枢動可能に取り付けられた脚部１０４に取り付く。
【００２１】
図３Ａ、図３Ｂ、および図３Ｃは、３つのタイプの取付け基部の投影図である。図３Ａは、標準連結タブ１０３を備えたバラストタイプの取付け基部１０２を示す。図３Ｂは、標準連結タブ１０３を備えた接着されるタイプの取付け基部２００を示す。接着されるタイプの取付け基部２００は、取付け基部を屋上膜に接着するのに必要な接着剤と互換性がある材料２０１を有する。接着されるタイプの取付け基部２００は、特定の屋上膜の材料種類に合うように、様々な種類の材料２０１と共に構築されてもよい。材料２０１は、より良い接着のために表面積を最大にするために、取付け基部の本体の幅を越えて延在していてもよいか、または標準連結タブ１０３の幅を越えて延在していてもよい。図３Ｃは、標準連結タブ１０３を備えた剛性アタッチメントタイプの取付け基部３００を示す。剛性アタッチメントの取付け基部３００は箱形梁、または管、「Ｉ」字形梁、「Ｔ」字形梁、「Ｌ」字形梁等の類似の梁形状であってもよい。剛性アタッチメントの取付け基部３００の重要な特徴は、屋上太陽エネルギーアレイに共通の典型的な剪断力および横力に耐えることができるように構造的完全性、および複数タイプの連結のための万能取付け固定具である能力である。図３Ｃでは、剛性アタッチメントタイプの取付け基部３００は、上面に沿った取付け穴部３０１を有する「Ｌ」字形梁である。取付け穴部３０１は、剛性屋根構造物へのしっかりした固定がどこで成されるかに関して選択肢を提供する。図３Ｃでは、剛性タイプの取付け基部３００は、結合バー３０２を使用して剛性屋根構造物３０３に結合されている。剛性屋根構造物３０３は、小梁（図示せず）、または屋根貫通ボルト、換気ダクト構造、屋根パラペット（parapet）等の類似の剛性構造的に固定されている屋根貫通管であってもよい。
【００２２】
図４は、太陽エネルギーモジュールフレーム１００を伴う配列状の太陽エネルギーモジュールの側面図である。太陽エネルギーモジュールフレーム１０６の端部が、標準連結タブ１０３の標準連結タブ端部穴部１０７に連結している。太陽エネルギーモジュールフレーム１００および枢動可能に取り付けられた脚部１０４は、標準連結タブ１０３および関連する取付け基部が両端部で太陽エネルギーモジュールに取り付けられている場合、標準連結タブ端部穴部１０７に連結していてもよい。太陽エネルギーモジュール１つだけが取付け基部に（すなわち、アレイの端部で）連結されている場合、枢動可能に取り付けられた脚部１０４は、標準連結タブ中心穴部１０８に連結していてもよい。標準連結タブ中心穴部１０８は、太陽エネルギーモジュールの重量が取付け基部に沿って均一に分配されることを可能にする。ピン１０５は標準連結タブ１０３を枢動可能に取り付けられた脚部１０４（図示せず）に、同様に太陽エネルギーモジュールフレーム１０６を標準連結タブ１０３に結合している。標準連結タブ端部穴部１０７および標準連結タブ中心穴部１０８は、ピン１０５がいくらかの制限された距離を移動することができるようにスロットが作られていてもよい。この特徴は、屋上の隆起部などの平らでない表面上で取付け基部が太陽エネルギーモジュールから連接されることを可能にする。
【００２３】
図５は、バラストタイプの取付け基部１０２および接着されるタイプの取付け基部２００で連結されている太陽エネルギーモジュールフレーム１００を伴う配列状の太陽エネルギーモジュールの上視図である。太陽エネルギーモジュールフレーム１００が、ピン１０５を使用して、接着されるタイプの取付け基部２００に連結している。
【００２４】
図６は、他の実施形態の連結タブとしての役割を果たす代替的連結トレイ４０１を示す、本発明の代替的実施形態である。連結トレイ４０１は、図３Ａ、図３Ｂ、および図３Ｃに示されている３つのタイプの取付け基部または考えられる他のタイプの取付け基部上に設置されてもよい。連結トレイ４０１は、トレイ内壁４０２とトレイ外壁４０３とを有する。示されている図では、トレイ内壁４０２は、溶接、リベット、ねじ、ステープル、機械的曲げ、または他の固定方法を用いて、バラスト取付け基部１０２に結合している。太陽エネルギーパネルなどの本システムに取り付けられるデバイスが、連結トレイ４０１内に存在する突出部を有すると考えられる。連結トレイ４０１は、各連結トレイ４０１が固定された４つ以上の構成要素を有してもよいように、両端部に複数の取り付けられるデバイスを受け入れることができる可能性がある。トレイ内壁４０２およびトレイ外壁４０３を貫通する取付けスロット４０４は、機械的締結具を受け入れて、取り付けられるデバイスを連結する。取付けスロット４０４は、いくらかの移動の自由を可能にするように、形状が円形またはスロット様であってもよい。各連結トレイ４０１は、取り付けられるデバイスの様々な取付け位置を受け入れるために、両端部に複数の取付けスロット４０４を有していてもよい。連結トレイ４０１を貫通する穴部４０５は、犠牲摩擦材料などの、取付け基部の下面に連結される任意のデバイスの設置を可能にする。
【００２５】
本明細書に添付されている特許請求の範囲では、用語「ａ」または「ａｎ」が、「１つまたは複数の」を意味するものとする。理解を明確にするためにかつ例として、例示的実施形態がいくらか詳細に記載されたが、複数の修正、変更、および改造が実施されてもよくかつ／または当業者には明らかであろう。したがって、本発明の範囲は、もっぱら以下の通りの特許請求の範囲により限定される。
【図１】
2015532694.tif 000003
【図２】
2015532694.tif 000004
【図３ａ】
2015532694.tif 000005
【図３ｂ】
2015532694.tif 000006
【図３ｃ】
2015532694.tif 000007
【図４】
2015532694.tif 000008
【図５】
2015532694.tif 000009
【図６】
2015532694.tif 000010
【国際調査報告】
2015532694.tif 000011